(57)【要約】      （修正有）【課題】袋体内に折畳んで重ね入れてなるポケットティッシュにおいてティッシュペーパーを破れたりしわを作らずに一枚ずつ取り出すことができるようにしたポケットティッシュを提供する。【解決手段】ティッシュペーパーの取り出し切口を袋体の一面の長尺側または短尺側に寄せて形成する。【選択図】図２
0003175825.tif 000002
【実用新案登録請求の範囲】
【請求項１】
折畳まれた複数枚のティッシュペーパーを平角形をした透明な袋体内に重ね入れてなるポケットティッシュにおいて、ティッシュペーパーを破れたりしわを作らずに一枚ずつ取り出しやすくするためにティッシュペーパーの取り出し切口を該袋体の一面の長尺側または短尺側に寄せて形成したことを特徴とするポケットティッシュ。
【請求項２】
ティッシュペーパーの取り出し切口は袋体の長尺側，短尺側に沿った全長に形成する請求項１に記載のポケットティッシュ。
【請求項３】
袋体は取り出し切口を形成した一面とティッシュペーパーとの間に広告紙を挿入する請求項１または２に記載のポケットティッシュ。
【請求項４】
袋体は取り出し切口を形成しない他面とティッシュペーパーとの間に広告紙を挿入する請求項１乃至３のいずれかに記載のポケットティッシュ。
【請求項５】
袋体は取り出し切口を形成しない他面の外側に挟み入れ用のポケットを設けて広告紙を挟み入れする請求項１乃至３のいずれかに記載のポケットティッシュ。
【請求項６】
広告紙は一枚ものまたは折畳み展開形にて形成するほか、クーポン券，割引券などをつけて形成する請求項２乃至５のいずれかに記載のポケットティッシュ。
【考案の詳細な説明】
【技術分野】
【０００１】
この考案はポケットティッシュに関するものある。
【背景技術】
【０００２】
ポケットティッシュとしては登録実用新案第３１０４１６６号公報がある。該公報は折畳まれたティッシュペーパーを積層して収容する袋体の一面の長手方向の中央にティッシュペーパーの取り出し切口を設け、且つ袋体内に複数の情報面を有す冊子状をした広告紙を入れることを記載している。
【特許文献１】登録実用新案第３１０４１６６号公報
【考案の開示】
【考案が解決しようとする課題】
【０００３】
しかしながら、上記の公報はティッシュペーパーの取り出し切口を袋体の一面の長手方向の中央に設けているので、ティッシュペーパーを取り出すときはペーパーの中間をつまんで取り出すために、ティッシュペーパーは中間で破れたりしわを作ったりするという課題がある。
また、中央の取り出し切口からティッシュペーパーを取り出すためにこの面には取り出しを障害するために広告紙を挿入することができないという課題がある。
【課題を解決するための手段】
【０００４】
本考案は、ティッシュペーパーの取り出し切口を袋体の長尺側または短尺側に寄せて設けたので、袋体内のティッシュペーパーは取り出し切口に面した端面を持って取り出すここととなるので、破れたりしわを作るということが解消し、また取り出し切口が端に寄っているためにこの面にもティッシュペーパーの取り出しを障害することなしに広告紙を挿入することができることとなる。このようにして前項に記載した課題を解消するようにしたのである。
【考案の効果】
【０００５】
本考案は、ティッシュペーパーの取り出し切口を袋体の一面の長尺側または短尺側に寄せて形成したので、ティッシュペーパーは取り出し切口に面した端面を持って取り出すこととなるので、破れたりしわを作るということがないという効果を生ずる。
【０００６】
袋体は取り出し切口を設けた面の内面にもティッシュペーパーの取り出しを障害することなしに広告紙を挿入することができるという効果を生ずる。
従って広告紙にクーポン券，割引券などがついているときはティッシュペーパーの取り出しと同様に容易に取り出して利用することができるようになるという効果を生ずる。
【０００７】
広告紙を袋体の一面と他面、つまり両面内に挿入することができるという効果を生ずる。
広告紙は出し入れが容易になるために割引券，クーポン券が利用しやすくなるという効果を生ずる。
【図面の簡単な説明】
【０００８】
【図１】（ａ）は本考案の第１実施例のポケットティッシュを示す斜視図、（ｂ）は同、取り出し切口を１ｃｍ程度内側に入った位置に設けた例を示す斜視図
【図２】同、取り出し切口を開口してティッシュペーパーを取り出しつつある状態を示す斜視図
【図３】同、側断面図
【図４】取り出し切口を設けた面の袋体内に広告紙を挿入した例の斜視図
【図５】クーポン券などをつけた広告紙を取り出した状態にて示す斜視図
【図６】ティッシュペーパーの取り出し切口を袋体の短尺側に設けた例を示す斜視図
【図７】取り出し切口を設けない他面の袋体内側に広告紙を挿入した実施例を示す斜視図
【図８】取り出し切口を設けない他面の外側にポケットを設けて広告紙を挟み入れた例を示す斜視図
【図９】広告紙を一枚ものと折畳み展開形の２種にて形成した例を示す正面図
【符号の説明】
【０００９】
１はティッシュペーパー
２は袋体
２ａは一面
２ｂは他面
３は取り出し切口
３ａはミシン目
４は広告紙
５は広告紙の挟み入れ用のポケット
【考案を実施するための形態】
【００１０】
本考案は、折畳んだティッシュペーパーを複数枚重ねて平たく収容するポケットティッシュにおいて、ポケットティッシュの袋体の一面の長尺側または短尺の側端近くに寄せて取り出し切口を設けて、ティッシュペーパーを端を持ってしわを作らずにまた破くことなしに一枚づつ取り出せるようにする。
取り出し切口を側端近くに寄せて形成したので、この面にもティッシュペーパーの取り出しを妨げずに広告紙を挿入することができることになる。
従って、本考案のポケットティッシュは一面のほか他面にも、つまり両面に広告紙を挿入することができるようになる。
【実施例１】
【００１１】
図１乃至図３は本考案の第１実施例を示すもので、折畳んだティッシュペーパー１を複数枚重ねて収容するポケットサイズの平角形で透明な袋体２の一面の長尺側の側端近くに寄せて取り出し切口３を設ける。取り出し切口３は長尺側のほぼ全長に亘り直線状にて伸びていてミシン目３ａにて塞がれている。なお、取り出し切口３は図１乃至図３の各（ｂ）に示すように長尺側の側端から１ｃｍ程度内側に入ったところに設けることもある。
【００１２】
ティッシュペーパー１を取り出すときはミシン目３ａを切り裂いて取り出し切口３を開いて取り出すのであるが、取り出し切口３が側端近くにあることによって、ティッシュペーパー１は端部を持って取り出されることとなるため、しわを作ることと、破かれることが解消することとなる。
【００１３】
またティッシュペーパー１の取り出しを妨げることなしに図４に示すように取り出し切口３を設けた一面２ａの内側にも広告紙４を挿入することができることとなる。
【００１４】
また、図５に示すように広告紙４にクーポン券，割引券などがついている場合にも、ティッシュペーパー１の取り出しと同様に一端から破くことなく、しわを作ることなく取り出すことができて利用しやすくなる。
【００１５】
なお、ティッシュペーパー１の取り出し切口３は図６に示すように袋体２の短尺側に寄せて設けることもある。
【実施例２】
【００１６】
図７は本考案の第２実施例で、袋体２の取り出し切口３を設けない他面２ｂの内側に広告紙４を挿入したものである。その他の構成と作用は前例と同じである。
【実施例３】
【００１７】
図８は本考案の第３実施例で、袋体２の取り出し切口３を設けない他面２ｂの外側に挟み入れ用のポケット５を設けて広告紙４を挟み入れるようにしたものである。その他の構成と作用は第１実施例と同じである。
広告紙４は図９に示すように一枚ものと折畳み展開形の２種にて形成し、割引券，クーポン券などを付して形成することもある。
【産業上の利用可能性】
【００１８】
本考案は、市販のポケットティッシュから販売促進用に配られるポケットティッシュのすべてに広く利用されるものである。
【図１】
0003175825.tif 000003
【図２】
0003175825.tif 000004
【図３】
0003175825.tif 000005
【図４】
0003175825.tif 000006
【図５】
0003175825.tif 000007
【図６】
0003175825.tif 000008
【図７】
0003175825.tif 000009
【図８】
0003175825.tif 000010
【図９】
0003175825.tif 000011